(57)【要約】【課題】生物に安全な洗浄、消臭、殺菌、中和、分解効果のある液剤を用いて、犬の尿を処理できると共に、犬の排泄物処理の際、尿処理具と糞処理具が個々に必要せず、同一体に携帯でき、糞を密閉された収納部に保管できる犬の排泄物処理具を提供する。【解決手段】全体をカバン状とし携帯可能なようにバンド部材４又はベルト通し部材５を付設した容器本体３を、備え、容器本体３は、犬の尿を、洗浄する作用、消臭する作用、殺菌する作用、中和する作用、分解する作用を有する尿処理液２を収容する尿処理部10を有し、尿処理液２を容器本体３から噴出させるための噴出手段Ｆを、設けている。【選択図】図２
0003129815.tif 000002
【実用新案登録請求の範囲】
【請求項１】
全体をカバン状とし携帯可能なようにバンド部材（４）又はベルト通し部材（５）を付設した容器本体（３）を、備え、該容器本体（３）は、犬の尿（１）を、洗浄する作用、消臭する作用、殺菌する作用、中和する作用、分解する作用のうちいずれかひとつ又は複数を有する尿処理液（２）を収容する尿処理部（10）を少なくとも有し、
上記尿処理液（２）を上記容器本体（３）から噴出させるための噴出手段Ｆを、設けたことを特徴とする犬の排泄物携帯処理具。
【請求項２】
上記噴出手段Ｆが、上記容器本体（３）に直接又は筒状部材（８）を介して取付けられたノズル（９）を有する請求項１記載の犬の排泄物携帯処理具。
【請求項３】
上記容器本体（３）が上段と下段の上下２段に構成され、上記上段を上記尿処理液（２）を収納するための上記尿処理部（10）とするとともに、上記下段を糞を収納するための糞収納部（11）（29）（30）とし、かつ、該下段の下壁に開閉自在な下蓋（12）を設けた請求項１又は２記載の犬の排泄物携帯処理具。
【請求項４】
上記下段の糞収納部（11）（29）（30）は、開閉自在な内蓋（13）にて上空間（22）と下空間（23）の上下２空間に区画されている請求項３記載の犬の排泄物携帯処理具。
【請求項５】
上記容器本体の容積を可変に構成した請求項１，２，３又は４記載の犬の排泄物携帯処理具。
【考案の詳細な説明】
【技術分野】
【０００１】
本考案は、犬の排泄物携帯処理具に関する。
【背景技術】
【０００２】
従来、犬の排泄物の処理具のほとんどは糞の後始末を目的としたもので、使い捨てで使用するものや、採取するための機構部と収納するための収納部から成り、一体化したもの（例えば、特許文献１参照）等が提案されている。
【０００３】
また、尿の処理については実行されることがほとんどなく、臭気に対する苦情やトラブルを発生させている。また、公共設備である道路標識や金属柵等を腐蝕させ倒壊させているという問題がある。
【０００４】
また、尿処理用具と糞処理用具を個々に携帯するため嵩張り、犬と散歩をしながらの両方の持ち歩きは困難という欠点があった。
【０００５】
また、採取した糞の持ち歩きは不快であり、使用後の糞処理具の持ち歩きも不衛生で不快という欠点があった。
【特許文献１】実開２００３- ２３９０３号公報
【考案の開示】
【考案が解決しようとする課題】
【０００６】
解決しようとする課題は、生物に安全な洗浄、消臭、殺菌、中和、分解効果のある液剤を用いて、犬の尿を処理する必要がある点である。
【０００７】
また、尿処理具と糞処理具の両方を持って犬との散歩をするのは嵩張り不便であって、犬に引っ張られた時など両手が使用できなくなる危険がある。即ち、犬の排泄物処理の際、尿処理具と糞処理具が個々に必要となる点である。  
【０００８】
また、採取した糞が目に触れたり、臭う状態で持ち歩くのは使用者だけでなく第三者にも不快感を抱かせる。即ち採取した糞に不快感が伴う点である。
【課題を解決するための手段】
【０００９】
そこで、本考案に係る犬の排泄物携帯処理具は、全体をカバン状とし携帯可能なようにバンド部材又はベルト通し部材を付設した容器本体を、備え、該容器本体は、犬の尿を、洗浄する作用、消臭する作用、殺菌する作用、中和する作用、分解する作用のうちいずれかひとつ又は複数を有する尿処理液を収容する尿処理部を少なくとも有し、上記尿処理液を上記容器本体から噴出させるための噴出手段を、設けている。
上記噴出手段が、容器本体に直接又は筒状部材を介して取付けられたノズルを有する。
【００１０】
上記容器本体が上段と下段の上下２段に構成され、上記上段を上記尿処理液を収納するための上記尿処理部とするとともに、上記下段を糞を収納するための糞収納部とし、かつ、該下段の下壁に開閉自在な下蓋を設けている。
また、上記下段の糞収納部は、開閉自在な内蓋にて上空間と下空間の上下２空間に区画されている。
また、上記容器本体の容積を可変に構成している。
【考案の効果】
【００１１】
本考案に係る犬の排泄物携帯処理具によれば、犬の尿を衛生的かつ迅速・簡便に処理でき、臭気に対する苦情やトラブルが解消され、また、公共設備である道路標識や金属柵等の腐蝕も有効に防止できる。また、携帯可能なバンド部材やベルト通し部材を有する為、犬の散歩時に両手が自由に使え、安全で便利である。なお、上下２段とした場合は、１つの処理具で尿と糞の両方を処理できる。また、密閉したカバンの内部に糞が収容されている為、不快感を伴わない。
【考案を実施するための最良の形態】
【００１２】
以下、図示の実施の形態を示す図面に基づき本考案を詳説する。
図１〜図７は、本考案の第１の実施の形態を示す犬の排泄物携帯処理具を示す。
【００１３】
図１〜図７に示すように、本考案の排泄物携帯処理具は、カバン状の容器本体３にバンド部材４が固着され、肩にかけること等で携帯可能であり、またベルト通し部材５を用いて、ベルトに装着することでウエストポーチのようにも携帯可能である為、両手が自由に使えるように構成される。
【００１４】
容器本体３は、上段下段の二段で構成され、該上段の尿処理液２を貯液するタンクの役割を有す尿処理部10と、該下段の糞を収納する糞収納部11の二段構造である。
【００１５】
尿処理液２は犬の尿を、洗浄する作用、消臭する作用、殺菌する作用、中和する作用、分解する作用のうちいずれかひとつ又は複数を有する。
【００１６】
尿処理部10のタンクは防水性であって、上記尿処理液２を貯蔵でき該尿処理部10の内部筒状部材16から外部のホース48を通過して噴出手段Ｆであるスプレー17によって、ノズル９から上記尿処理液２を霧状や線状に円錐状等に噴出できる。また、図３のように側面に液量計６を付設し、上記尿処理液２の内容量が確認できる。また、図２のように投入口38が設けられ、キャップ19で施蓋される。
【００１７】
上記糞収納部11は開閉自在な内蓋13にて上空間22と下空間23に区画されている。該内蓋13は開いた状態及び閉じた状態の各々の位置で一旦停止保持する係止機構やスプリングが設けられている。また、上記下空間23の下壁には開閉自在な下蓋12があり、収納物の破棄や、上記糞収納部11の清掃を容易にできる。また、上記下蓋12は自由に開閉しないよう下蓋止め具15にて閉じた状態にでき、糞の液等が漏れない構造からなる。
【００１８】
上記容器本体３は図５と図７のように上記尿処理部10と上記糞収納部11で開閉可能であって収納口14から糞の採取を可能としてある。また、図５のように上記収納口14は採取を容易にする為に斜め口とされている。また、上記尿処理部10は該収納口14が開いた状態で任意の位置で固定できることが好ましい。また、上記容器本体３の背面に採取用の持ち手21が付設されてある。
【００１９】
上記尿処理液２は上記尿処理部10の内部筒状部材16を通り、上記尿処理部10の外壁にある差込口７と銃型スプレー17に取り付けてあるホース48を通って、スプレー17のノズル９より噴射、または噴霧可能としてある。また、該スプレー17は、上記容器本体３に付設された、ホルダー18に収納されている。
【００２０】
また、上記容器本体３以外に、図８に示すような水溶性又は、水解性の部材で成形された、廃棄用内袋24があると好ましい。
また、上記容器本体３の底面壁31には、上記容器本体３が床面に置けるように下蓋12の開閉に干渉しない位置に足32が突設されてあるのが好ましい。
【００２１】
次に使用方法について説明する。
上記収納口止め具20を外し、上記収納口14を開く。その後上記内蓋13が上空間22に開いた状態（図４の上記内蓋13が36の位置状態）で固定する。
次に、上記下蓋12を閉じ上記下蓋止め具15にて不用意に開かない状態にする。その後、上記下空間23に上記廃棄用内袋24を袋口25が開いた状態で上記収納口14に該袋口25を向けて設置する。
次に、上記収納口14を閉じ、上記収納口止め具20で不用意に開かない状態にする。
【００２２】
次に、上記バンド部材４を使用して肩にかけるか、または上記ベルト通し部材５を用いて、衣類のベルトに装着する。その後、犬との散歩に出かける。
【００２３】
次に、犬の排尿時又は排尿後、上記ホルダー18から、上記スプレー17を取り出す。その後、図１のように処理目標である犬の尿１に該スプレー17の上記ノズル９を向けて、上記尿処理液２を、噴出させる（噴射又は、噴霧させる）。このように尿１の処理を行う。尿処理後、上記スプレー17を上記ホルダー18に収納する。
【００２４】
次に、犬の排便時、上記バンド部材４を肩から外し、又は、ベルトから外して、容器本体３を手に取る。
次に、収納口止め具20を外し、収納口14を開ける。その後、上記持ち手21を持って、図７のように犬の糞の排出地点に上記収納口14を向け、直接、上記糞収納部11の下空間23に設置されている上記廃棄用内袋24の中に収納させる。上記内蓋13を閉じて上空間22と下空間23を区切る位置で固定する。また、直接糞の収納ができず、地面に落ちた場合でも、上記持ち手21を持ち、落ちた糞をすくうことで糞の収納が可能である。その後、上記収納口14を閉じて、上記収納口止め具20にて不用意に開かない状態にする。
【００２５】
上記糞収納部11の糞の廃棄方法は、上記下蓋の止め具15を取り外して上記下蓋12を開き、図15のように上記廃棄用内袋24と該廃棄用内袋24内部にある糞と一体に便器33に破棄する。上記廃棄用内袋24は上述したように水溶性又は、水解性で成形されている為、収納した糞と一体に上記便器33に破棄できる。  
【００２６】
図９は、第２の実施の形態を示す斜視図である。図９の糞収納部29は任意の位置で固定可能なスライド式になっており、容積が可変である。他の構成は、第１の実施の形態と同様である。
【００２７】
図10は、第３の実施の形態を示す斜視図である。図10の糞収納部30は蛇腹状になっており、容積が可変である。他の構成は、第１の実施の形態と同様である。
【００２８】
図11と図12は、第４の実施の形態を示す図である。上記容器本体３の尿処理部10内にモータ26とポンプ27と電源37を備え、ノズル９は上記容器本体３の前壁に直接付設されている。スイッチ28をＯＮすることで、モータ26が起動してポンプ27を動かし、尿処理液２をノズル９へ送り噴射や噴霧を行う。他の構成は第１の実施の形態と同様である。
【００２９】
図13は、第５の実施の形態を示す斜視図である。容積本体３は尿処理部10のみを有し、（下段の）糞収納部11が省略された構成である。図13は剛性のある筒状部材８が前方へ突出状に設けられ、先端にノズル９を備えており、上述した第４の実施形態のような噴出手段Ｆを備え、噴射や噴霧が可能である。他の構成は第１の実施の形態と同様である。
【００３０】
なお、本考案は上述の実施の形態に限定されず、設計変更自由であって、例えば、上記尿処理部10は使い易い任意の位置でよい。収納口14、内蓋13、下蓋12は電動開きも可能で、扉の方式は観音扉でも良い。また、収納口止め具20や、下蓋止め具15は、収納口14及び、下蓋12が開閉自在で密封性が保持できれば、任意のものでよい。容器本体３との取付方法は図14のような差込部材35以外でも筒状部材８が首振可能であれば、任意の機構でよい。噴出装置は、手動ポンプ式でも電動ポンプ式でもノズル９から上記尿処理液２が噴射や噴霧可能な構造であれば良い。また、ホルダー18の取付場所は、図６のように上記容器本体３の左側面だけでなく、図９，10のように右側面等、任意の使用し易い位置に付設して良い。また、使用手順では、上述は上記廃棄用内袋24を上記下空間23に設置しているが、上記内蓋13を閉じ、上記上空間22に上記廃棄用内袋24を設置し、糞を上記廃棄用内袋24に収納後、内蓋13を下空間23側に開き、該下空間23に落として収納しても良い。また、廃棄用内袋24の代わりに、ポリ袋等を使用しても良いし、又は、廃棄用内袋24を使用せず、糞収納部11に直接糞を収納しても良い。また、容器本体３の材質は金属でも硬質樹脂や軟質樹脂でも機能を果たせば任意のもので良い。また、持ち手21はベルト通し部材５の機能を共用できるものとしても良い。また、バンド部材４の使用方法では、肩に掛けるだけでなく、手で持って使用しても良い。
【００３１】
以上のように、本考案は、全体をカバン状とし携帯可能なようにバンド部材４又はベルト通し部材５を付設した容器本体３を、備え、容器本体３は、犬の尿１を、洗浄する作用、消臭する作用、殺菌する作用、中和する作用、分解する作用のうちいずれかひとつ又は複数を有する尿処理液２を収容する尿処理部10を少なくとも有し、尿処理液２を容器本体３から噴出させるための噴出手段を、設けたので、生物に安全な洗浄、消臭、殺菌、中和、分解効果のある液剤を用いて、犬の尿を処理できる。また、容器本体３が上段と下段の上下２段に構成され、上段を尿処理液２を収納するための尿処理部10とするとともに、下段を糞を収納するための糞収納部11とし、かつ、下段の下壁に開閉自在な下蓋12を設けた構成とすれば、犬の排泄物処理の際、尿処理具と糞処理具が個々に必要せず、同一体に携帯できると共に、両手が使用可能に携帯できるので使用者に安全である。また、糞を密閉された収納部に保管する為、使用者や第三者に不快感を伴わない。
【図面の簡単な説明】
【００３２】
【図１】第１の実施の形態を示す使用状態説明図である。
【図２】正面図である
【図３】側面図である
【図４】図２のＡーＡ断面図である。
【図５】使用状態説明用側面図である。
【図６】要部拡大一部破断側面図である。
【図７】使用状態説明図である。
【図８】廃棄用内袋の斜視図である。
【図９】第２の実施の形態を示す斜視図である。
【図１０】第３の実施の形態を示す斜視図である。
【図１１】第４の実施の形態を示す斜視図である。
【図１２】回路図である。
【図１３】第５の実施の形態を示す斜視図である。
【図１４】要部拡大断面図である。
【図１５】使用状態説明図である。
【符号の説明】
【００３３】
１  犬の尿  
２  尿処理液
３  容器本体
４  バンド部材
５  ベルト通し部材
８  筒状部材
９  ノズル
10  尿処理部
11  糞収納部
12  下蓋
13  内蓋
29  スライド式糞収納部
30  蛇腹状糞収納部
Ｆ  噴出手段
【図１】
0003129815.tif 000003
【図２】
0003129815.tif 000004
【図３】
0003129815.tif 000005
【図４】
0003129815.tif 000006
【図５】
0003129815.tif 000007
【図６】
0003129815.tif 000008
【図７】
0003129815.tif 000009
【図８】
0003129815.tif 000010
【図９】
0003129815.tif 000011
【図１０】
0003129815.tif 000012
【図１１】
0003129815.tif 000013
【図１２】
0003129815.tif 000014
【図１３】
0003129815.tif 000015
【図１４】
0003129815.tif 000016
【図１５】
0003129815.tif 000017